(57)【要約】【課題】カウンター状態とハンガー状態との変換を容易に繰り返して行うことができ、安定して商品を陳列できる商品陳列具を提供する。【解決手段】背板４の前面に上下のトレー２，３を取り付け、背板４の屈伸に伴い、カウンター状態とハンガー状態とに変換可能とした商品陳列具において、背板４のトレー２，３間に上折線６と下折線７とを入れ、背板４の後面に、上折線６から下方へ延びる係止片９と、下折線７の下方に位置する支持片１２とを設け、カウンター状態では、背板４の上折線６と下折線７との間の部分を水平方向に折り曲げて、その部分に上段側トレー２を載せると共に、支持片１２を背板４から後方へ迫り出すように折り曲げて、支持片９と係止片１２とを係合させ、ハンガー状態では、支持片９と係止片１２との係合を解除して、背板４を伸ばすようにする。【選択図】図２
2007222218.tif 000002
【特許請求の範囲】
【請求項１】
背板の前面に複数段のトレーを取り付け、背板の屈伸に伴い、トレーが階段状に並んで設置されるカウンター状態と、トレーが上下に並んで吊り下げられるハンガー状態とに変換可能とした商品陳列具において、背板のトレー間に上折線と下折線とを入れ、背板の後面に、上折線から下方へ延びる係止片と、下折線の下方に位置する支持片とを設け、カウンター状態では、背板の上折線と下折線との間の部分を水平方向に折り曲げて、その部分に上段側トレーを載せると共に、支持片を背板から後方へ迫り出すように折り曲げて、支持片と係止片とを係合させ、ハンガー状態では、支持片と係止片との係合を解除して、背板を伸ばすようにしたことを特徴とする商品陳列具。
【発明の詳細な説明】
【技術分野】
【０００１】
この発明は、店頭に吊下又は設置して商品を陳列する陳列具に関するものである。
【背景技術】
【０００２】
従来、下記特許文献１には、図６及び図７に示すように、背板５１の前面に上下２段のトレー５２，５３を取り付け、背板５１の屈伸に伴い、トレー５２，５３が階段状に並んで設置されるカウンター状態と、トレー５２，５３が上下に並んで吊り下げられるハンガー状態とに変換可能とした商品陳列具が記載されている。
【０００３】
この陳列具を、図６に示すカウンター状態とするには、背板５１を下段側トレー５３の下端から後方へ離れた位置で折目線５４に沿って上方へ折り曲げ、背板５１の両側に連設した折曲片５５を後方へ折り曲げ、下段側トレー５３の上端に設けた嵌入片５６を、上段側トレー５２の前壁下端に設けた嵌入穴５７に差し込んで、形状を安定させる。
【０００４】
また、図７に示すハンガー状態とするには、嵌入穴５７から嵌入片５６を引き抜いて、背板５１を伸ばした状態で下段側トレー５３の後面に沿わせ、嵌入片５６を背板５１の折目線５４沿いに位置する嵌入穴５８に差し込んで、背板５１の上部に設けた紐穴５９に吊下用の吊紐６０を挿通する。
【０００５】
【特許文献１】実開平３−９４１５６号公報
【発明の開示】
【発明が解決しようとする課題】
【０００６】
しかしながら、上記のような商品陳列具では、カウンター状態とハンガー状態との変換に際し、嵌入片５６を幅の狭いスリット状の嵌入穴５７，５８に対して抜き差ししなければならず、作業が難しいという問題がある。
【０００７】
また、変換を繰り返した場合、嵌入片５６の両側の突出部が破れ、その抜止機能が失わて、カウンター状態において嵌入片５６が嵌入穴５７から不意に抜け、形状が維持されなくなり、上段側トレー５２が背板５１と共に転倒するおそれがある。
【０００８】
そこで、この発明は、カウンター状態とハンガー状態との変換を容易に繰り返して行うことができ、安定して商品を陳列できる商品陳列具を提供することを課題とする。
【課題を解決するための手段】
【０００９】
上記課題を解決するため、この発明は、背板の前面に複数段のトレーを取り付け、背板の屈伸に伴い、カウンター状態とハンガー状態とに変換可能とした商品陳列具において、背板のトレー間に上折線と下折線とを入れ、背板の後面に、上折線から下方へ延びる係止片と、下折線の下方に位置する支持片とを設け、カウンター状態では、背板の上折線と下折線との間の部分を水平方向に折り曲げて、その部分に上段側トレーを載せると共に、支持片を背板から後方へ迫り出すように折り曲げて、支持片と係止片とを係合させ、ハンガー状態では、支持片と係止片との係合を解除して、背板を伸ばすようにしたのである。
【発明の効果】
【００１０】
この商品陳列具では、背板の屈伸に伴い、支持片と係止片とを係脱させるだけで、破れやすい部分の抜き差しを行うことなく、カウンター状態とハンガー状態との変換を、容易に何度も繰り返して行うことができる。
【００１１】
また、カウンター状態では、背板の水平部分に上段側トレーが載って安定し、ハンガー状態では、背板の後面に沿った支持片が係止片で抑圧保持されて、背板の屈曲による下段側トレーの揺動が防止されるので、安定して商品を陳列できる。
【発明を実施するための最良の形態】
【００１２】
以下、この発明の実施形態を添付図面に基づいて説明する。
【００１３】
この商品陳列具は、図１に示すような板紙製のブランクから形成され、背板部材１と、トレー２，３とから成るものである。
【００１４】
背板部材１のブランクでは、背板４の下端にスタンド部５が連設され、背板４には、横方向の上折線６と下折線７とが平行に入れられている。上折線６と下折線７とは、それぞれ押罫線にミシン目状の切目を入れたリード罫とされている。
【００１５】
背板４の上折線６の上方部分の両側には、折重片８が連設され、その下部が上折線６よりも下方へ延びる係止片９とされている。係止片９には、下端から係止切込１０が入れられている。
【００１６】
背板４とスタンド部５との境界は、両側から切り込まれ、中央部分の中折片１１で繋がっている。中折片１１の両側には各２枚の支持片１２が順次連設され、各支持片１２の下端には係止切込１３が入れられている。内側の支持片１２の下端には、係止切込１３の内側に底受片１４が連設されている。
【００１７】
背板４の上折線６の上方部分の高さ方向中間位置と、下折線７沿いには、横向きスリット状の差込穴１５が設けられ、背板４の上角部には、紐穴１６が設けられている。
【００１８】
トレー２，３のブランクでは、前面板１７の両側に側面板１８が、一方の側面板１８に後面板１９及び継代片２０が順次連設され、前面板１７及び後面板１９、側面板１８の下端に底面板２１，２２がそれぞれ連設されている。前面板１７の上端には前重板２３及び底重板２４が順次連設され、後面板１９の上端には差込片２５が連設されている。
【００１９】
上記ブランクから図２乃至図５に示すように陳列具を組み立てるには、背板部材１のブランクにおいて、背板４の後面に折重片８を折り重ねて貼り付け、背板４からスタンド部５の中折片１１を上方へ折り曲げて、中折片１１を背板４の後面に貼り付けると共に、連設された２枚の支持片１２を貼り合わせる。
【００２０】
また、トレー２，３のブランクにおいて、前面板１７、一対の側面板１８及び後面板１９を角筒状に折り曲げ、継代片２０を反対側の側面板１８に貼り付けて周壁を形成し、底面板２１，２２を一組ずつ貼り合わせて底面を閉じ、前重板２３を前面板１７の後面に重ね、底重板２４を底面板２１，２２の上に重ねて、二重の底壁を形成する。
【００２１】
このように組み立てたトレー２は、上折線６の上方に位置させて、後面板１９を下端が上折線６に沿うように背板４の前面に貼り付け、トレー３は、下折線７の下方に位置させて、後面板１９を上端が下折線７に沿うように背板４の前面に貼り付け、それぞれ差込片２５を差込穴１５に差し込んで下方へ折り曲げ、背板４の後面に貼り付ける。
【００２２】
上記のような陳列具をカウンター状態として商品を陳列するには、図２及び図３に示すように、背板４の上折線６と下折線７との間の部分を水平方向に折り曲げて、その部分に上段側のトレー２を載せ、両側の支持片１２をハの字状に後方へ迫り出すように折り曲げて、係止切込１０，１３の相互差込により係止片９と支持片１２とを係合させると共に、底受片１４を水平方向へ折り曲げて、背板４の水平部分を受け止める。
【００２３】
一方、ハンガー状態として商品を陳列する際には、図４及び図５に示すように、支持片１２と係止片９との係合を解除して、背板４の上折線６と下折線７における折り曲げを伸ばし、支持片１２を背板４の後面に沿わせて係止片９に係合させ、支持片１２の迫り出しを係止片９により抑制する。そして、紐穴１６に挿通した吊紐２６により、店頭の陳列什器等に吊り下げる。
【００２４】
このように、上記陳列具では、背板４を階段状に折り曲げ、係止片９と後方へ迫り出すように折り曲げた支持片１２とを係合させるだけで、カウンター状態とすることができ、係止片９と支持片１２との係合を解除して、背板４を伸ばすだけで、ハンガー状態とすることができるので、破れやすい部分の抜き差しを行うことなく、カウンター状態とハンガー状態との変換を、容易に何度も繰り返して行うことができる。
【００２５】
また、カウンター状態では、背板４の水平部分に上段側トレー２が載っているので、このトレー２に重量のある商品を収納しても、特定の部分に荷重が集中して不安定となることがなく、ハンガー状態では、背板４の後面に沿った支持片１２が係止片９で抑圧保持され、背板４の上折線６と下折線７における屈曲が阻止されるので、下段側トレー３が揺動して不安定となることがない。
【００２６】
なお、上記実施形態では、背板部材１とスタンド部５とが一体化されたものを例示したが、これらは別体であってもよい。
【００２７】
また、上下２段のトレーを備えたものを例示したが、３段以上のトレーを備えた陳列具においても、背板４に上折線６と下折線７とを複数組入れて、背板４を多段の階段状に折り曲げられるようにし、支持片１２もまた、背板４に対応した多段の階段状とすることにより、同様の構成を採用することができる。
【００２８】
さらに、各トレーとして、周壁が四角筒状のものを例示したが、これらのトレーは、周壁が六角筒状等であってもよく、任意の形状のものとすることができる。
【図面の簡単な説明】
【００２９】
【図１】この発明の実施形態に係る商品陳列具のブランクを示す図
【図２】同上のカウンター状態を前上方から示す斜視図
【図３】同上のカウンター状態を後下方から示す斜視図
【図４】同上のハンガー状態を前上方から示す斜視図
【図５】同上のハンガー状態を後上方から示す斜視図
【図６】従来の商品陳列具のカウンター状態を前上方から示す斜視図
【図７】同上のハンガー状態を前上方から示す斜視図
【符号の説明】
【００３０】
１  背板部材
２，３  トレー
４  背板
５  スタンド部
６  上折線
７  下折線
８  折重片
９  係止片
１０  係止切込
１１  中折片
１２  支持片
１３  係止切込
１４  底受片
１５  差込穴
１６  紐穴
１７  前面板
１８  側面板
１９  後面板
２０  継代片
２１，２２  底面板
２３  前重板
２４  底重板
２５  差込片
２６  吊紐
【図１】
2007222218.tif 000003
【図２】
2007222218.tif 000004
【図３】
2007222218.tif 000005
【図４】
2007222218.tif 000006
【図５】
2007222218.tif 000007
【図６】
2007222218.tif 000008
【図７】
2007222218.tif 000009